(57)【要約】      （修正有）【課題】ユーザの意図に沿った領収書の出力手順に従って領収書を出力することが可能な複合機を提供する。【解決手段】領収書を出力する課金装置が接続された複合機において、複合機が機能提供を実行する前に、複合機が機能提供を実行してから領収書を出力するまでの手順を示す出力手順項目を複数表示して、一の出力手順項目の選択をユーザから受け付ける出力手順項目受付手段４０２と、選択された出力手順項目の手順に従って、領収書の出力を実行する領収書出力実行手段４０４とを備えることを特徴とする複合機を提供する。【選択図】図４
2009237731.tif 000002
【特許請求の範囲】
【請求項１】
領収書を出力する課金装置が接続された画像形成装置において、
自装置が機能提供を実行する前に、自装置が機能提供を実行してから領収書を出力するまでの手順を示す出力手順項目を複数表示して、一の出力手順項目の選択をユーザから受け付ける出力手順項目受付手段と、
選択された出力手順項目の手順に従って、領収書の出力を実行する領収書出力実行手段と、
を備えることを特徴とする画像形成装置。
【請求項２】
複数の出力手順項目のうち、一の出力手順項目の手順は、機能提供終了毎に、継続して機能提供させるか否かの選択をユーザから受け付け、継続する旨の選択を受け付けた場合は、領収書を出力せずに、実行した機能に関連する情報である履歴情報を記憶し、継続しない旨の選択を受け付けた場合は、記憶された全ての履歴情報に基づいて領収書を出力する手順であることを特徴とする請求項１に記載の画像形成装置。
【請求項３】
複数の出力手順項目のうち、一の出力手順項目の手順は、機能提供終了毎に、その機能に関連する履歴情報に基づいて領収書を出力する手順であることを特徴とする請求項１に記載の画像形成装置。
【請求項４】
複数の出力手順項目のうち、一の出力手順項目の手順は、機能提供終了毎に、領収書を出力するか否かの選択をユーザから受け付け、出力する旨の選択を受け付けた場合は、その選択を受け付けるまでに記憶された全ての履歴情報に基づいて領収書を出力し、出力しない旨の選択を受け付けた場合は、領収書を出力しない又は継続して機能提供させる旨の選択を受け付ける手順であることを特徴とする請求項１に記載の画像形成装置。
【発明の詳細な説明】
【技術分野】
【０００１】
本発明は、画像形成装置に関し、詳しくは、ユーザの意図に沿った領収書の出力手順に従って領収書を出力することが可能な画像形成装置に関する。
【背景技術】
【０００２】
貨幣などの金員を課金装置に投入することにより、画像形成処理等を実行するコインベンダ式の画像形成装置（課金装置付きの画像形成装置）が市場に登場している。上記画像形成装置は、例えば、複写機、プリンタ、ファクシミリ、複合機等が該当し、コンビニエンスストアや公共施設等に設置され、不特定多数の人に多く利用されている。
【０００３】
この課金装置付き画像形成装置は金員を授受するため、通常、授受した金員の金額詳細を示す領収書（レシートを含む）を発行するよう構成されている。発行される領収書には、投入した金額や支払われた金額に関連する情報である金員情報（領収書の明細に該当する部分）と、課金装置付き画像形成装置の設置店、業者のロゴに関する画像、店舗名、業者名、住所、電話番号等の領収書情報とが印字されており、その領収書により、どれくらいの金員を支払ったか、何処で何部の印刷を行ったかが一目で認識できる。
【０００４】
上記領収書を発行する出力手段（例えば、領収書発行用のプリンタ）は、通常、課金装置に備えられており、その領収書に関連する金員情報と領収書情報は、課金装置の方で記録・管理されている。例えば、ユーザが金員を投入し、画像形成装置に機能の提供をさせると、課金装置側で、投入金額、提供された機能に対応する単価、利用金額等が順次記録される。
【０００５】
領収書が必要なユーザは、画像形成装置に所定の処理を行わせる前に、課金装置に備えられた領収書発行予約ボタンを押下して、領収書に記載させるデータの開始点を課金装置に記憶させておき、所定の処理が終了した後に、課金装置に備えられた領収書発行ボタンを押下して、当該開始点から領収書発行ボタンが押下された時点までに記録されたデータに基づいて領収書を発行させる。
【０００６】
しかし、上述した領収書の発行方法では、例えば、ユーザが領収書発行予約ボタンを押下し忘れた場合や領収書発行予約ボタンの存在を知らなかった場合、課金装置が、そのユーザの実行した処理に関連するデータを特定することが出来ず、適切な領収書を発行することが出来ないという問題があった。発行するにしても、一度領収書発行予約ボタンが押下されずに処理が実行されると、ユーザは、自己の処理に関連するデータを検索・決定することが出来ないため、大抵、店員等の管理者の手を借りなければならず、手間が掛かり、領収書発行が煩わしいという問題があった。
【０００７】
上記問題を解決するために、特開２００５−１４９４５９号公報（特許文献１）には、記録媒体に画像を形成する画像形成装置を有し、この画像形成装置により画像が形成された記録媒体に課金を行う画像形成管理装置に用いられる領収書発行装置であって、上記画像形成装置からの画像形成枚数、記録媒体のサイズデータ、記録媒体にカラー画像を形成するかどうかを示すカラーデータや、課金対象の情報を記憶する記憶手段と、情報を出力して領収書を発行する手段とを有し、領収書の発行対象を自動的に判断することを特徴とする領収書発行装置が開示されている。上記構成により、領収書の発行対象を自動的に判断するため、店員の手を煩わせることなく不慣れなユーザでも簡単に領収書を出すことが可能であり、画像形成の後からでも自動的に領収書を発行できるとしている。
【特許文献１】特開２００５−１４９４５９号公報
【発明の開示】
【発明が解決しようとする課題】
【０００８】
しかしながら、特許文献１に記載の技術では、ユーザが領収書発行予約ボタンを押下し忘れることを防止することが可能な領収書発行手順が開示されているものの、ユーザが任意にその領収書発行手順を選択できるものではなく、画像形成装置の製造者側が予め選択・設計するものであり、一度選択・設計されると、設計変更することが困難であるという問題がある。さらに、一度選択・設計された領収書発行手順がユーザの意図に沿った手順でない場合、ユーザに余計な操作を強いる可能性が高く、領収書を発行する自体に手間が掛かるという問題がある。
【０００９】
そこで、本発明は、上記問題を解決するためになされたものであり、ユーザの意図に沿った領収書の出力手順に従って領収書を出力することが可能な画像形成装置を提供することを目的とする。
【課題を解決するための手段】
【００１０】
上述した課題を解決し、目的を達成するために、領収書を出力する課金装置が接続された画像形成装置において、画像形成装置が機能提供を実行する前に、画像形成装置が機能提供を実行してから領収書を出力するまでの手順を示す出力手順項目を複数表示して、一の出力手順項目の選択をユーザから受け付ける出力手順項目受付手段と、選択された出力手順項目の手順に従って、領収書の出力を実行する領収書出力実行手段とを備える。
【００１１】
領収書には、投入した金額や支払われた金額に関連する情報である金員情報と、ユーザによって入力される設定条件とが付与されるが、その他の情報として、例えば、画像形成装置の設置店、業者のロゴに関する画像、店舗名、業者名、住所、電話番号等に関連する情報が追加されていても構わない。さらに、キャンペーン情報、お得情報、広告、メッセージ等が追加させても構わない。
【００１２】
設定条件とは、画像形成装置に機能を提供させる際に、その機能に関してユーザが入力する条件のことであり、例えば、コピー機能であれば、モノクロ読取（グレースケール読取ともいう）、カラー読取、２値読取などの画質に関する設定条件や、Ａ４シート、Ａ５シート、Ｂ４シートなどの用紙サイズに関する設定条件等が挙げられる。
【００１３】
画像形成装置が提供する機能には、例えば、コピー機能、ファクシミリ送信機能、プリント機能、スキャン機能、ネットワークスキャン機能、メモリ機能、後処理機能等が採用される。上記ネットワークスキャン機能とは、ＰＣ等にて加工可能な画像データを、ネットワーク上で接続されているＰＣ等に送信する機能のことである。また、メモリ機能とは、読み取った画像データを所定のデータ量で保存しておく機能のことであり、後処理機能とは、印刷されたシートに、パンチ、ステープル、製本処理等を施すことである。
【００１４】
画像形成装置が機能提供を実行してから領収書を出力するまでの手順とは、例えば、機能提供終了毎に、領収書を発行するか否かの選択を受け付ける手順、つり銭払い戻しボタンが押下された際に、領収書を発行するか否かの選択を受け付ける手順等である。さらに、領収書を発行するか否かの選択を受け付けた際に、それまで実行した機能に関連する金員情報等を合算して領収書を出力するのか、実行した機能毎に詳細な領収書を発行するのか否かの選択を受け付ける手順を含んでも構わない。
【００１５】
出力手順項目には、手順を示す文字等が表示されており、ユーザはその文字等を一見することによって、その手順を容易に認識することができる。例えば、出力手順項目には、「全ＪＯＢ終了後に、継続してＪＯＢを実行させるか否かを問い合わせ、領収書出力時に、今まで実行したＪＯＢに関連する領収書を出力する手順」と表示される。
【００１６】
一の出力手順項目の選択をユーザから受け付ける方法は、例えば、操作部に備えられた所定の操作キーの押下によって受け付ける方法、操作部に備えられたタッチパネルに選択に関連する項目や画面を表示させて、その項目等の押下によって受け付ける方法、さらに、タッチパネル近傍に入力可能なタッチペンを用意し、そのタッチペンの接触によって受け付ける方法等が挙げられる。
【００１７】
領収書を出力する方法は、例えば、シートに印字を施して出力する方法、レシートとして感熱紙に出力する方法、ｅメール等によって所定の送信先に出力する方法等が挙げられる。
【００１８】
また、複数の出力手順項目のうち、一の出力手順項目の手順は、機能提供終了毎に、継続して機能提供させるか否かの選択をユーザから受け付け、継続する旨の選択を受け付けた場合は、領収書を出力せずに、実行した機能に関連する情報である履歴情報を記憶し、継続しない旨の選択を受け付けた場合は、記憶された全ての履歴情報に基づいて領収書を出力する手順であるよう構成することができる。
【００１９】
履歴情報には、機能提供が実行された際に発生する金員情報、ユーザによって入力された設定条件（画像形成装置が実行した設定条件）等が挙げられる。
【００２０】
履歴情報を記憶する方法は、一時的に記憶する方法、所定の記憶手段に恒常的に記憶する方法等を採用することができる。
【００２１】
記憶された履歴情報に基づいて領収書を出力する場合の具体例は、例えば、履歴情報のうち、所定の項目を合算した情報を付加した領収書を出力する場合、履歴情報のうち、全てまたは一部の情報を付加した領収書を出力する場合等が挙げられる。
【００２２】
また、複数の出力手順項目のうち、一の出力手順項目の手順は、機能提供終了毎に、その機能に関連する履歴情報に基づいて領収書を出力する手順であるよう構成することができる。
【００２３】
また、複数の出力手順項目のうち、一の出力手順項目の手順は、機能提供終了毎に、領収書を出力するか否かの選択をユーザから受け付け、出力する旨の選択を受け付けた場合は、その選択を受け付けるまでに記憶された全ての履歴情報に基づいて領収書を出力し、出力しない旨の選択を受け付けた場合は、領収書を出力しない又は継続して機能提供させる旨の選択を受け付ける手順であるよう構成することができる。
【発明の効果】
【００２４】
本発明の画像形成装置によれば、画像形成装置が機能提供を実行する前に、画像形成装置が機能提供を実行してから領収書を出力するまでの手順を示す出力手順項目を複数表示して、一の出力手順項目の選択をユーザから受け付ける出力手順項目受付手段と、選択された出力手順項目の手順に従って、領収書を出力する領収書出力手段とを備えるよう構成している。
【００２５】
これにより、ユーザが画像形成装置に機能提供を実行させる前に、複数の出力手順項目のうち、自己の意図に沿った出力手順項目を選択することが可能となるため、領収書を出力するまでの手順をユーザ毎に変更可能となり、様々なユーザに対応して、ユーザの意図に沿った手順にて、領収書を出力させることが可能となる。そのため、所定の領収書出力手順に制限されることがなく、ユーザに余計な操作を行なう可能性も低くなり、結果として、領収書を発行する自体に手間が掛かることもない。
【００２６】
また、複数の出力手順項目のうち、一の出力手順項目の手順は、機能提供終了毎に、継続して機能提供させるか否かの選択をユーザから受け付け、継続する旨の選択を受け付けた場合は、領収書を出力せずに、実行した機能に関連する情報である履歴情報を記憶し、継続しない旨の選択を受け付けた場合は、記憶された全ての履歴情報に基づいて領収書を出力する手順であるよう構成することができる。
【００２７】
これにより、画像形成装置が、機能提供終了毎に領収書を出力することがないため、無駄な領収書出力を防止することが可能となる。さらに、画像形成装置が全ての機能提供を終了した場合、すなわち、ユーザが画像形成装置に機能提供を継続しない場合、記憶された全ての付与情報に基づいて領収書が出力されるため、総括された領収書を取得することが可能となる。
【００２８】
また、複数の出力手順項目のうち、一の出力手順項目の手順は、機能提供終了毎に、その機能に関連する履歴情報に基づいて領収書を出力する手順であるよう構成することができる。
【００２９】
これにより、ユーザは、機能提供終了毎に、その機能提供に対応する領収書を出力させるための操作を行なわずに、その機能に関連する領収書を取得することができるとともに、領収書出力のための操作が解消された分、原稿の入れ替え作業や設定条件の入力等を迅速に行なうことが可能となる。また、機能提供毎の詳細な領収書を発行したい場合等においては、最適である。
【００３０】
また、複数の出力手順項目のうち、一の出力手順項目の手順は、機能提供終了毎に、領収書を出力するか否かの選択をユーザから受け付け、出力する旨の選択を受け付けた場合は、その選択を受け付けるまでに記憶された全ての履歴情報に基づいて領収書を出力し、出力しない旨の選択を受け付けた場合は、領収書を出力しない又は継続して機能提供させる旨の選択を受け付ける手順であるよう構成することができる。
【００３１】
これにより、領収書を出力する場合は、領収書が出力されるまでに記憶された全ての履歴情報に基づいて領収書が出力されるため、総括された領収書を取得することが可能となる。また、領収書を出力しない場合は、領収書そのものを出力しない又は継続して機能提供させる旨の選択を受け付けるため、結果として、ユーザは、領収書を出力しない、または機能提供毎の領収書若しくは総括された領収書を出力することを選択することが可能となる。従って、ユーザの必要に応じて複合機の対応を変更することが可能となる。
【発明を実施するための最良の形態】
【００３２】
以下に、添付図面を参照して、本発明の画像形成装置の実施形態について説明し、本発明の理解に供する。尚、以下の実施形態は、本発明を具体化した一例であって、本発明の技術的範囲を限定する性格のものではない。また、フローチャートにおける数字の前に付されたアルファベット「Ｓ」はステップを意味する。
【００３３】
＜画像形成装置＞
以下に、本発明に係る画像形成装置について説明する。
【００３４】
図１は、課金装置が接続された画像形成装置の概略模式図である。ただし、本発明に直接には関係しない各部の詳細は省略している。
【００３５】
なお、本発明の画像形成装置は、例えばプリンタやスキャナ単体、あるいはプリンタ、コピー、スキャナ、ファックス等を備えた複合機等が該当し、コピーサービス、スキャナサービス、ファクシミリサービス、プリンタサービス等の処理を実行する画像形成装置として機能する。以下に、例えばコピーサービスを利用する場合の複合機１００の動作を簡単に説明する。
【００３６】
ユーザが、例えば原稿Ｐのコピーサービスを実現する場合、原稿Ｐを複合機１００に備えられている原稿台１０１に載置し、課金装置２００に設けられたコイン投入口２０１に所定数の金員を投入する。すると、課金装置２００がケーブル１０９ａを介して、複合機２００の原稿台１０１近傍に設けられた操作部１０２が入力可能、すなわちコピーサービス提供可能な状態とする。操作部１０２には、複合機１００が提供する機能に関連する複数の機能項目が画面に表示されるため、ユーザはその画面を見ながら、自己の意図に沿ったコピーサービスに関する設定条件の入力を行なう。
【００３７】
設定条件の入力が終了後、ユーザは操作部１０２に設けられたスタートキーを押下して、複合機１００に印刷処理を開始させる。印刷処理が開始されると、画像読取部１０３において、光源１０４から照射された光が、原稿台１０１に置かれた原稿Ｐに反射される。反射された光は、ミラー１０５、１０６、１０７によって撮像素子１０８に導かれる。導かれた光は撮像素子１０６により光電変換されて、原稿Ｐの画像が、基本的な補正処理、画質処理、圧縮処理等を施され、画像データとなる。ここで、画像データは、複合機１００に接続された通信ケーブル１０９ｂを介して他機から当該複合機１００に受信される場合や原稿台１０１に設けられた自動原稿給送装置によって読み取られる場合もある。
【００３８】
さて、画像データが生成されると、当該画像データは画像形成部１１０に送られ、伸張処理を施され、トナー像として転写されることとなる。画像形成部１１０には感光体ドラム１１１が備えられており、当該感光体ドラム１１１は、一定速度で所定の方向に回転し、その周囲には、回転方向の上流側から順に、帯電器１１２、露光ユニット１１３、現像器１１４、転写器１１５、クリーニングユニット１１６などが配置されている。
【００３９】
帯電器１１２は、感光体ドラム１１１の表面を一様に帯電させる。露光ユニット１１３は、帯電された感光体ドラム１１１の表面に、画像データに基づいてレーザーを照射し、静電潜像を形成する。現像器１１４は、搬送された静電潜像に、トナーを付着させてトナー像を形成する。形成されたトナー像は、転写器１１５により、記録媒体（例えば、シート）に転写される。クリーニングユニット１１６は、感光体ドラム１１１の表面に残された余分なトナーを取り除く。これらの一連のプロセスは、感光体ドラム１１１が回転することにより実行される。
【００４０】
上述したシートは、複合機１００に備えられた複数の給紙カセット１１７から搬送される。搬送される時に、シートはピックアップローラ１１８により、何れか１つの給紙カセット１１７から搬送路へ引き出される。上記各給紙カセット１１７には、それぞれ異なる紙種のシートが収容されており、ユーザが入力した設定条件に基づいてシートが給紙される。
【００４１】
搬送路に引き出されたシートは、搬送ローラ１１９やレジストローラ１２０により感光体ドラム１１１と転写器１１５の間に送り込まれる。送り込まれると、上記シートは上記転写器１１５により上記トナー像が転写され、定着装置１２１に搬送される。尚、搬送ローラ１１９に搬送されるシートは、複合機に備えられた手差しトレイ１２２から搬送される場合もある。
【００４２】
トナー像が転写されたシートが、定着装置１２１に備えられた加熱ローラ１２３と加圧ローラ１２４の間を通過すると、そのトナー像に熱と圧力が印加されて、可視像がシートに定着される。加熱ローラ１２３の熱量は紙種に応じて最適に設定され、上述した定着が適切に行われる。可視像が定着されたシートは、定着装置１２１を経て排出トレイ１２５に排出される。
【００４３】
コピーサービスの提供が終了すると、課金装置２００にて、利用金額および残金が算出されるとともに、入力された設定条件、単価、利用金額、残金が一時記憶される。
【００４４】
ユーザは課金装置２００のつり銭払い戻しボタン２０２を押下すると、残金に対応する金員がコイン返却口２０３へ払い戻されるとともに、課金装置２００に備えられた領収書プリンタ２０４が駆動して、一時記憶された単価等が付与された所定の領収書が発行される。
【００４５】
上記手順により、複合機１００はコピーサービスをユーザに提供する。また、複合機１００が他のサービスを提供する場合も、画像読取部１０３と画像形成部１１０とが駆動して提供する。
【００４６】
なお、ユーザの設定条件に従って機能提供を実行する手段を機能提供手段、課金装置２００に投入された金員等を管理したり、複合機１００を機能提供可能な状態へ移行する手段を金員情報管理手段とする（後述する）。
【００４７】
図２は、複合機１００に備えられた操作部１０２の外観の一例を示す図である。ユーザは、上記操作部１０２を用いて、上述のような機能提供についての設定条件等を入力したり、設定条件を確認したり、複数の領収書プレビューを確認したり、一の領収書プレビューを選択したりする。設定条件の入力や一の領収書プレビューの選択が行なわれる際に、上記操作部１０２に備えられたタッチパネル２１１、タッチペン２１２、操作キー２１３が用いられる。
【００４８】
上記タッチパネル２１１には、設定条件を入力したり、領収書プレビューを選択したりする機能と、設定条件および領収書プレビューを表示する機能が兼ね備えられている。すなわち、タッチパネル２１１上に表示された画面内の項目・領収書プレビューを押下することによって、項目に関連付けられた設定条件の入力や領収書プレビューの選択が行なわれる。また、入力された設定条件の項目や選択された領収書プレビューの背景色は、その入力・選択に連動して白色から灰色へ変更されるため、背景色に基づいて、入力された設定条件、選択された領収書プレビューが確認される。
【００４９】
タッチパネル２１１の近傍には、タッチペン２１２が備えられており、ユーザがそのタッチペン２１２の先をタッチパネル２１１に接触させると、タッチパネル２１１下方に設けられたセンサが接触先を検知する。そのため、タッチペン２１２の接触により、表示された項目の選択が可能である。
【００５０】
さらに、タッチパネル２１１近傍には、所定数の操作キー２１３が設けられ、例えば、テンキー２１４、スタートキー２１５、クリアキー２１６、ストップキー２１７、リセットキー２１８、電源キー２１９が備えられている。なお、上記テンキー２１４は、部数や倍率を設定する際に具体的な数字の入力に用いられる。
【００５１】
次に、図３を用いて、複合機１００と課金装置２００との制御系ハードウェアの構成を説明する。図３は、複合機１００と課金装置２００とにおける制御系ハードウェアの概略構成図である。ただし、本発明に直接には関係しない各部の詳細は省略している。
【００５２】
複合機１００の制御回路は、ＣＰＵ（Ｃｅｎｔｒａｌ  Ｐｒｏｃｅｓｓｉｎｇ  Ｕｎｉｔ）３０１、ＲＯＭ（Ｒｅａｄ  Ｏｎｌｙ  Ｍｅｍｏｒｙ）３０２、ＲＡＭ（Ｒａｎｄｏｍ  Ａｃｃｅｓｓ  Ｍｅｍｏｒｙ）３０３、ＨＤＤ（Ｈａｒｄ  Ｄｉｓｋ  Ｄｒｉｖｅ）３０４、インターフェイス３０５、各駆動部に対応するドライバ３０６を内部バス３０７によって接続している。上記ＣＰＵ３０１は、例えば、ＲＡＭ３０３を作業領域として利用し、上記ＲＯＭ３０２、ＨＤＤ３０４等に記憶されているプログラムを実行し、当該実行結果に基づいて上記ドライバ３０６と図示しない操作部１０２からのデータ、指示を授受し、上記図１に示した各駆動部等の動作を制御する。また、上記駆動部以外の後述する各手段（図４に示す）についても、上記ＣＰＵ３０１がプログラムを実行することで当該各手段を実現する。上記ＲＯＭ３０２、ＨＤＤ３０４等には、以下に説明する各手段を実現するプログラムやデータが記憶されている。
【００５３】
インターフェイス３０５は、ケーブル１０９ａを介して、複合機１００と課金装置２００とを接続する。上記ＣＰＵ３０１は、このインターフェイス３０５を通じて、複合機１００とデータや指示を授受し、各駆動部の動作を制御する。
【００５４】
課金装置２００の制御回路は、ＣＰＵ３０８、ＲＯＭ３０９、ＲＡＭ３１０、各駆動部に対応するドライバ３１１、インターフェイス３１２を内部バス３１３によって接続している。上記ＣＰＵ３０８は、上記と同様に、上記ＲＡＭ３１０を作業領域として利用し、上記ＲＯＭ３０９等に記憶されているプログラムを実行し、当該実行結果に基づいて上記ドライバ３１１とデータや指示を授受し、投入金員の計算や残金の払い戻し等を制御する。インターフェイス３１２により、複合機１００とデータや指示が授受される。図３には示していないが、課金装置２００にＨＤＤが具備されていても構わない。
【００５５】
＜第一の実施形態＞
次に図４、図５を参照しながら、第一の実施形態の複合機１００が、ユーザの意図に沿った領収書の出力手順に従って領収書を出力する手順について説明する。図４は、第一の実施形態の複合機１００の機能ブロック図である。図５は、第一の実施形態の複合機１００の動作を示すためのフローチャートである。
【００５６】
まず、ユーザが課金装置２００のコイン投入口２０１に所定数の金員（５００円）を投入すると、金員情報管理手段４０１が、複合機１００の駆動を許可し、複合機１００の出力手順項目受付手段４０２に、複合機が機能提供を実行してから領収書を出力するまでの手順を示す出力手順項目の選択をユーザから受け付ける旨の命令を送信する（図５：Ｓ１０１）。すると、出力手順項目受付手段４０２は、上記命令に従い、出力手順項目記憶手段４０３の出力手順項目テーブルに記憶されている出力手段項目を所定数（ここでは、３種類）取得し、操作部１０２に備えられたタッチパネル２１１上に出力手順項目受付画面を表示する（図５：Ｓ１０２）。
【００５７】
出力手順項目テーブルには、例えば、図６に示すように、複合機が機能提供を実行してから領収書を出力するまでの手順を示した出力手順項目６０１と、その手順（フローチャート）を実行させるためのプログラム６０２と、そのプログラムを実行した際に出力される領収書の付与情報６０３とが関連付けて記憶されている。そのため、出力手順項目に表示された手順にて複合機を作動させるためには、後述する出力手順項目実行手段４０４が、その出力手順項目に関連付けられたプログラムを実行すればよい。
【００５８】
付与情報６０３は、ユーザが投入した金員または支払った金員に関連する金員情報６０４と、ユーザが入力した設定条件６０５（複合機が提供した機能に関連する設定条件）とに区分けされ、当該金員情報は、設定条件に対応する単価、単価に枚数等を掛け合わせて算出される利用金額（支払金額）、利用金額を合計した合計利用金額（合計支払金額）、ユーザが投入した投入金額（預かり金額）、投入金額を合計した合計投入金額（合計預かり金額）、投入金額から支払金額を差し引いた残金（お釣り金額）、残金を合計した合計残金に区分けされる。また、上記設定条件は、提供した機能に関する機能情報（例えば、コピー、ファクシミリ送信等）、読み取った原稿の画像データの画質に関する画質設定条件（例えば、モノクロ、カラー等）、印字したシートのサイズに関する用紙サイズ設定条件（例えば、Ａ４、Ｂ４等）、機能提供したシートの枚数、枚数を合計した合計枚数に区分けされる。上記プログラムと付与情報とが関連付けられていることを示すために、例えば、出力手順項目に設けられた付与情報の枠毎に、出力手順項目（プログラム）と付与情報とを関連付けることを示す情報「○」６０６がそれぞれ記憶される。そのため、出力手順項目実行手段４０４が所定の出力手順項目に対応するプログラムを実行した際に、出力される領収書の付与情報は、出力手順項目テーブルによって、一意的に決定されることとなる。
【００５９】
なお、付与情報６０３と情報「○」６０６は、ユーザの操作により、変更可能としても構わない。さらに、上記出力手順項目６０１（プログラム６０２）毎に、その出力手順項目の説明文、出力される領収書の仕上りイメージを模した領収書プレビューに対応する画像データ等をさらに関連付けて記憶させても構わないし、出力手順項目６０１自体、所定の文字、図形、記号等にて簡略して記憶するよう構成しても構わない。
【００６０】
さて、出力手順項目受付画面には、図７Ａに示すように、表示された複数の出力手順項目のうち、一の出力手順項目の選択を促すメッセージ「どのような手順にて領収書を発行させますか？」７０１と、取得した出力手順項目Ａ「全ＪＯＢ終了後に、継続してＪＯＢを実行させるか否かを問い合わせ、領収書出力時に、今まで実行したＪＯＢに関連する領収書を出力する手順」７０２と、取得した出力手順項目Ｂ「ＪＯＢ終了毎に、そのＪＯＢに関連する領収書を出力する手順」７０３と、取得した出力手順項目Ｃ「ＪＯＢ終了毎に、領収書を出力させるか否かを問い合わせ、領収書出力時に、今まで実行したＪＯＢに関連する領収書を出力する手順」７０４と、表示されている出力手順項目以外の出力手順項目を表示させる「その他の手順」ボタン７０５と、選択された出力手順項目に決定させる「手順決定」ボタン７０６とが表示される。
【００６１】
そこで、ユーザは、出力手順項目受付画面を見ながら、表示された出力手順項目Ａ７０２を選択すると、出力手順項目受付手段４０２が、選択された出力手順項目Ａ７０２の背景色を白色から灰色へ変更する。なお、ここで、ユーザが、出力手順項目Ａ７０２と異なる出力手順項目Ｂ７０３を続けて選択すると、出力手順項目受付手段４０２が、出力手順項目Ａ７０２の背景色を白色へ戻すとともに、出力手順項目Ｂ７０３の背景色を灰色へ変更する。
【００６２】
さらに、出力手順項目Ａ７０２の背景色が灰色の時点にて、ユーザが「手順決定」ボタン７０６を押下すると、出力手順項目受付手段４０２が、選択された出力手順項目Ａ７０２に従って領収書の出力をする旨の命令を、出力手順項目実行手段４０４に送信する（図５：Ｓ１０３）。すると、出力手順項目実行手段４０４は、出力手順項目記憶手段４０３の出力手順項目テーブルを参照して、出力手順項目Ａ７０２に関連付けられて記憶されているプログラムを読み取り、そのプログラムに従って各手段を実行することとなる（図５：Ｓ１０４）。
【００６３】
出力手順項目実行手段４０４が、出力手順項目Ａ７０２に対応するプログラムを読み取って、受付手段４０５に、コピーサービスに関する設定条件を受け付ける旨の信号を送信する。すると、受付手段４０５は、図７Ｂに示すように、設定条件入力画面をタッチパネル２１１上に表示するとともに、機能提供手段４０６が駆動し、複合機１００が機能提供可能な状態へと移行することとなる（図５：Ｓ１０５）。なお、設定条件入力画面を表示する際には、受付手段４０５は、金員情報管理手段４０１から投入金額を受信し、設定条件入力画面にその投入金額７０７を表示する。
【００６４】
ユーザは、載置台１０１ｂに原稿を載置し、設定条件入力画面を見ながら、設定条件（モノクロ、Ａ４、２枚）を入力すると、出力手順項目実行手段４０４が、受付手段４０５に対して、受け付けた設定条件を金員情報管理手段４０１に送信するよう制御する（図５：Ｓ１０６）。金員情報管理手段４０１は、受信した設定条件に対応する単価を、予め課金装置２００に記憶されている単価テーブルから取得し、単価と枚数とを掛け合わせて利用金額を算出する。さらに、投入金額と利用金額とを比較し、利用金額が投入金額以下の場合は、金員情報管理手段４０１が、受付手段４０５に、コピー実行可能である旨の信号を送信し、受付手段４０５が、設定条件入力画面上に、コピー実行可能である旨のメッセージを表示する。一方、利用金額が投入金額を超える場合、金員情報管理手段４０１が、受付手段４０５に、コピー実行不可能である旨の信号を送信し、受付手段４０５が、設定条件入力画面上に、再度設定条件の入力を求める旨のメッセージを表示することとなる。
【００６５】
さて、コピー実行可能である旨のメッセージを確認したユーザが、スタートキー２１５を押下すると、機能提供手段４０６が、受け付けた設定条件に従って、原稿の画像データを読み取り、その画像データに基づいて画像形成し、シートを排出する（図５：Ｓ１０７）。
【００６６】
上記処理が終了すると、その信号を出力手順項目実行手段４０４が検知して、金員情報管理手段４０１に、投入金額から利用金額を差し引いた金額である残金を算出させ、受付手段４０５に、設定条件入力画面上にその残金を表示させる。
【００６７】
ここで、金員情報管理手段４０１は、算出した金員情報（例えば、単価（１０円）、投入金額（５００円）、利用金額（２０円）、残金（４８０円））と、設定条件（機能情報（コピー）、画質設定条件（モノクロ）、用紙サイズ設定条件（Ａ４）、枚数（２枚））とを一時記憶する（図５：Ｓ１０８）。一時記憶された金員情報等を、以下、履歴情報という。この履歴情報は、例えば、図８に示すように、シリアル番号８０１と、一時記憶された日時８０２と、金員情報８０３（単価、投入金額、利用金額、残金）と、設定条件８０４（機能情報、画質設定条件、用紙サイズ設定条件、枚数）とをテーブルとして関連付けて記憶され、処理終了毎に発生する金員情報等が順次追加記憶されることとなる。なお、上記処理により記憶される履歴情報は、最上位の情報であり、図８には、例えば、第一の実施形態にて実行された処理に対応する履歴情報を所定数記憶させている。
【００６８】
次に、出力手順項目実行手段４０４が、受付手段４０５に、継続して機能提供させるか否かの選択を受け付ける旨の信号を送信する。すると、受付手段４０５は、図９に示すように、継続機能提供受付画面Ａをタッチパネル上に表示する（図５：Ｓ１０９）。
【００６９】
継続機能提供受付画面Ａには、継続して機能提供させるか否かの選択を促すメッセージ「引き続きＪＯＢを実行させますか？」９０１と、ＪＯＢを終了させた時に領収書が発行される旨の説明文９０２と、継続して機能提供させる「はい」ボタン９０３と、機能提供を継続しない（ＪＯＢを終了させる）「いいえ」ボタン９０４とが表示される。
【００７０】
そこで、ユーザは、継続機能提供受付画面Ａを見ながら、「はい」ボタン９０３を押下すると、出力手順項目実行手段４０４が、受付手段４０５に、コピーサービスに関する設定条件を受け付ける旨の信号を送信し、設定条件入力画面をタッチパネル２１１上に表示させる（図５：Ｓ１０９ＹＥＳ→Ｓ１０５）。なお、設定条件入力画面が再度表示される際に、受付手段４０５は、金員情報管理手段４０１から残金を受信し、設定条件入力画面にその残金を表示することとなる。
【００７１】
以下、受付手段４０５が、ユーザによる設定条件の入力を受け付けてから（図５：Ｓ１０５）、継続機能提供受付画面Ａをタッチパネル上に表示するまでの処理（図５：Ｓ１０９）は、上記と同様である。
【００７２】
一方、ユーザが、継続機能提供受付画面Ａに表示されている「いいえ」ボタン９０４を押下すると、出力手順項目実行手段４０４が、金員情報管理手段４０１に、現時点の残金に対応する金員をつり銭返却口２０３に返却させる（図５：Ｓ１０９ＮＯ→Ｓ１１０）。
【００７３】
さらに、出力手順項目実行手段４０４が、金員情報管理手段４０１に、履歴情報から領収書に付与する付与情報（出力手順項目テーブルに関連付けられた付与情報に相当する）を抽出し、領収書を発行する旨の命令を送信する。金員情報管理手段４０１は、上記命令に従って、先ほどの履歴情報に基づき、付与情報の算出を開始する。この際、出力手順項目実行手段４０４が、出力手順項目テーブルの出力手順項目Ａ７０２に関連付けられた付与情報を金員情報管理手段４０１に送信することとなる。
【００７４】
金員情報管理手段４０１は、図８に示す履歴情報を利用して、受信した付与情報の算出を行なう。例えば、付与情報のうち、合計利用金額を算出する場合、金員情報管理手段４０１が、履歴情報に記憶された全ての利用金額８０５を合算して算出する。上記算出処理が付与情報全てについて行われる。
【００７５】
上記処理が終了すると、金員情報管理手段４０１は、算出した付与情報と、予め記憶されている領収書情報とを出力手段４０７へ送信し、出力手段４０７は、受信した情報に基づいて、領収書を発行する（図５：Ｓ１１１）。発行された領収書には、図９Ｄに示すように、出力手順項目テーブルに関連付けて記憶されていた付与情報、すなわち、金員投入や設定条件によって更新されない情報である領収書情報９０５と、金員情報９０６（合計利用金額、合計投入金額、合計残金）と、設定条件９０７（機能情報、画質設定条件、用紙サイズ設定条件、合計枚数）とが印刷される。
【００７６】
なお、図９Ｄに示すように、出力手順項目実行手段４０４が、出力手段４０７に、機能情報、画質設定条件、用紙サイズ設定条件毎に、合計利用金額を印刷するとともに、全ての処理についての合計利用金額を印刷するよう制御しているが、他の合算方法にて合計利用金額を印刷（算出）するよう構成しても構わない。
【００７７】
さらに、金員情報管理手段４０１は、履歴情報を履歴情報蓄積手段４０８の蓄積テーブルに記憶させ、一時記憶された当該履歴情報を消去する（図５：Ｓ１１２）。履歴情報蓄積手段４０８の蓄積テーブルは、例えば、所定の記憶メディアを課金装置２００に備えられた情報吸出口に接続することによって、吸出可能である。
【００７８】
これにより、領収書の発行を希望するユーザの手順は終了する。なお、金員情報管理手段４０１が実行する返金処理と領収書発行処理の順番は、特に上記に限定されるものではない。
【００７９】
このように、複合機が機能提供を実行する前に、複合機が機能提供を実行してから領収書を出力するまでの手順を示す出力手順項目を複数表示して、一の出力手順項目の選択をユーザから受け付ける出力手順項目受付手段と、選択された出力手順項目の手順に従って、領収書を出力する領収書出力手段とを備えるよう構成している。
【００８０】
これにより、ユーザが複合機に機能提供を実行させる前に、複数の出力手順項目のうち、自己の意図に沿った出力手順項目を選択することが可能となるため、領収書を出力するまでの手順をユーザ毎に変更可能となり、様々なユーザに対応して、ユーザの意図に沿った手順にて、領収書を出力させることが可能となる。そのため、所定の領収書出力手順に制限されることがなく、ユーザに余計な操作を行なう可能性も低くなり、結果として、領収書を発行する自体に手間が掛かることもない。
【００８１】
また、複数の出力手順項目のうち、一の出力手順項目の手順は、機能提供終了毎に、継続して機能提供させるか否かの選択をユーザから受け付け、継続する旨の選択を受け付けた場合は、領収書を出力せずに、実行した機能に関連する情報である履歴情報を記憶し、継続しない旨の選択を受け付けた場合は、記憶された全ての履歴情報に基づいて領収書を出力する手順であるよう構成することができる。
【００８２】
これにより、複合機が、機能提供終了毎に領収書を出力することがないため、無駄な領収書出力を防止することが可能となる。さらに、複合機が全ての機能提供を終了した場合、すなわち、ユーザが複合機に機能提供を継続しない場合、記憶された全ての付与情報に基づいて領収書が出力されるため、総括された領収書を取得することが可能となる。
【００８３】
＜第二の実施形態＞
次に図１０を参照しながら、第二の実施形態の複合機１００が、ユーザの意図に沿った領収書の出力手順に従って領収書を出力する手順について説明する。第一の実施形態と比較して、第二の実施形態の異なる点は、複数の出力手順項目のうち、一の出力手順項目の手順は、機能提供終了毎に、その機能提供に対応する全ての付与情報に基づいて領収書を出力する手順である点である。その他の点については、第一の実施形態と同様であるため、第一の実施の形態の説明において用いた図面（図１乃至図９）も適宜参照しながら、第二の実施形態について説明する。図１０は、第二の実施形態の複合機１００の動作を示すためのフローチャートである。
【００８４】
まず、ユーザがコイン投入口２０１に所定数の金員を投入すると、金員情報管理手段４０１が、複合機１００の駆動を許可し、複合機１００の出力手順項目受付手段４０２に、出力手順項目の選択をユーザから受け付ける旨の命令を送信する。すると、出力手順項目受付手段４０２は、出力手順項目記憶手段４０３の出力手順項目テーブルに記憶されている出力手段項目を取得し、タッチパネル２１１上に出力手順項目受付画面を表示する（図１０：Ｓ２０１）。
【００８５】
そこで、ユーザは、図７Ａに示す出力手順項目受付画面を見ながら、表示された出力手順項目Ｂ「ＪＯＢ終了毎に、そのＪＯＢに関連する領収書を出力する手順」７０３を選択し、「手順決定」ボタン７０６を押下すると、出力手順項目受付手段４０２が、選択された出力手順項目Ｂ７０３に従って領収書の出力をする旨の命令を、出力手順項目実行手段４０４に送信する（図１０：Ｓ２０２）。上記出力手順項目実行手段４０４は、出力手順項目記憶手段４０３の出力手順項目テーブルを参照して、出力手順項目Ｂ７０３に関連付けられて記憶されているプログラムを読み取り、そのプログラムに従って各手段を実行する（図１０：Ｓ２０３）。
【００８６】
出力手順項目実行手段４０４が、受付手段４０５に、コピーサービスに関する設定条件を受け付ける旨の信号を送信すると、受付手段４０５は、図７Ｂに示すように、設定条件入力画面をタッチパネル２１１上に表示するとともに、機能提供手段４０６が駆動し、複合機が機能提供可能な状態へと移行することとなる（図１０：Ｓ２０４）。
【００８７】
ユーザは、載置台１０１ｂに原稿を載置し、設定条件入力画面を見ながら、設定条件を入力すると、出力手順項目実行手段４０４が、受付手段４０５に対して、受け付けた設定条件を金員情報管理手段４０１に送信するよう制御する（図１０：Ｓ２０５）。金員情報管理手段４０１は、受信した設定条件に対応する単価と枚数とを掛け合わせて利用金額を算出し、利用金額が投入金額以下の場合は、金員情報管理手段４０１が、受付手段４０５に、コピー実行可能である旨のメッセージを表示させる。一方、利用金額が投入金額を超える場合、金員情報管理手段４０１が、受付手段４０５に、コピー実行不可能である旨のメッセージを表示させる。
【００８８】
さて、コピー実行可能である旨のメッセージを確認したユーザが、スタートキー２１５を押下すると、機能提供手段４０６が、受け付けた設定条件に従って、原稿の画像データを読み取り、その画像データに基づいて画像形成し、シートを排出する（図１０：Ｓ２０６）。
【００８９】
上記処理が終了すると、出力手順項目実行手段４０４が、金員情報管理手段４０１に、残金を算出させ、金員情報（単価、投入金額、利用金額、残金）と、設定条件（機能情報、画質設定条件、用紙サイズ設定条件、枚数）とを履歴情報として一時記憶させる（図１０：Ｓ２０７）
さらに、出力手順項目実行手段４０４が、金員情報管理手段４０１に、出力手順項目テーブルの出力手順項目Ｂ７０３に関連付けられた付与情報を抽出し、領収書を発行する旨の命令を送信する。金員情報管理手段４０１は、先ほどの履歴情報に基づき、付与情報の算出を行なう。上記算出処理が終了すると、金員情報管理手段４０１は、算出した付与情報と、領収書情報とを出力手段４０７へ送信し、出力手段４０７は、受信した情報に基づいて、領収書を発行する（図１０：Ｓ２０８）。発行された領収書は、先ほど機能提供手段４０６が実行した処理（ＪＯＢ）に関連する領収書となる。なお、領収書の内容は、実行した処理を具体的に示した内容や金員情報に関連する詳細な内容であると、機能提供毎の内容が明確となるため、好ましい。
【００９０】
続いて、金員情報管理手段４０１は、履歴情報を履歴情報蓄積手段４０８の蓄積テーブルに記憶し、一時記憶された当該履歴情報を消去する（図１０：Ｓ２０９）。
【００９１】
次に、出力手順項目実行手段４０４が、受付手段４０５に、継続して機能提供させるか否かの選択を受け付ける旨の信号を送信する。すると、受付手段４０５は、図１１Ｅに示すように、継続機能提供受付画面Ｂをタッチパネル上に表示する。
【００９２】
継続機能提供受付画面Ｂには、継続して機能提供させるか否かの選択を促すメッセージ「引き続きＪＯＢを実行させますか？」１１０１と、ＪＯＢを終了させた時に残金が返還される旨の説明文１１０２と、継続して機能提供させる「はい」ボタン１１０３と、機能提供を継続しない（ＪＯＢを終了させる）「いいえ」ボタン１１０４とが表示される。
【００９３】
そこで、ユーザは、継続機能提供受付画面Ｂを見ながら、「はい」ボタン１１０３を押下すると、出力手順項目実行手段４０４が、受付手段４０５に設定条件入力画面を表示させる（図１０：Ｓ２１０ＹＥＳ→Ｓ２０４）。なお、設定条件入力画面が再度表示される際に、受付手段４０５は、金員情報管理手段４０１から残金を受信し、設定条件入力画面にその残金を表示する。
【００９４】
以下、受付手段４０５が、ユーザによる設定条件の入力を受け付けてから（図１０：Ｓ２０４）、継続機能提供受付画面Ｂをタッチパネル上に表示するまでの処理（図１０：Ｓ２１０）は、上記と同様である。
【００９５】
一方、ユーザが、継続機能提供受付画面Ｂに表示されている「いいえ」ボタン１１０４を押下すると、出力手順項目実行手段４０４が、金員情報管理手段４０１に、現時点の残金に対応する金員をつり銭返却口２０３に返却させる（図１０：Ｓ２１０ＮＯ→Ｓ２１１）。
【００９６】
これにより、領収書の発行を希望するユーザの手順は終了する。
【００９７】
このように、複数の出力手順項目のうち、一の出力手順項目の手順は、機能提供終了毎に、その機能に関連する履歴情報に基づいて領収書を出力する手順であるよう構成することができる。
【００９８】
これにより、ユーザは、機能提供終了毎に、その機能提供に対応する領収書を出力させるための操作を行なわずに、その機能に関連する領収書を取得することができるとともに、領収書出力のための操作が解消された分、原稿の入れ替え作業や設定条件の入力等を迅速に行なうことが可能となる。また、機能提供毎の詳細な領収書を発行したい場合等においては、最適である。
【００９９】
＜第三の実施形態＞
次に図１２を参照しながら、第三の実施形態の複合機１００が、ユーザの意図に沿った領収書の出力手順に従って領収書を出力する手順について説明する。第一の実施形態と比較して、第三の実施形態の異なる点は、複数の出力手順項目のうち、一の出力手順項目の手順は、機能提供終了毎に、領収書を出力するか否かの選択をユーザから受け付け、出力する旨の選択を受け付けた場合は、記憶された全ての付与情報に基づいて領収書を出力し、出力しない旨の選択を受け付けた場合は、領収書を出力しない又は継続して機能提供させる旨の選択を受け付ける手順である点である。その他の点については、第一の実施形態と同様であるため、第一の実施の形態の説明において用いた図面（図１乃至図９）も適宜参照しながら、第三の実施形態について説明する。図１２は、第三の実施形態の複合機１００の動作を示すためのフローチャートである。
【０１００】
まず、ユーザがコイン投入口２０１に所定数の金員を投入すると、金員情報管理手段４０１が、複合機１００の駆動を許可し、複合機１００の出力手順項目受付手段４０２は、出力手順項目記憶手段４０３の出力手順項目テーブルに記憶されている出力手段項目を取得し、タッチパネル２１１上に出力手順項目受付画面を表示する（図１２：Ｓ３０１）。
【０１０１】
そこで、ユーザは、図７Ａに示す出力手順項目受付画面を見ながら、表示された出力手順項目Ｃ「ＪＯＢ終了毎に、領収書を出力させるか否かを問い合わし、領収書出力時に、今まで実行したＪＯＢに関連する領収書を出力する手順」７０４を選択し、「手順決定」ボタン７０６を押下すると、出力手順項目受付手段４０２が、選択された出力手順項目Ｃ７０４に従って領収書の出力をする旨の命令を、出力手順項目実行手段４０４に送信する（図１２：Ｓ３０２）。上記出力手順項目実行手段４０４は、出力手順項目記憶手段４０３の出力手順項目テーブルを参照して、出力手順項目Ｃ７０４に関連付けられて記憶されているプログラムを読み取り、そのプログラムに従って各手段を実行する（図１２：Ｓ３０３）。
【０１０２】
出力手順項目実行手段４０４が、受付手段４０５に、コピーサービスに関する設定条件を受け付ける旨の信号を送信すると、受付手段４０５は、図７Ｂに示すように、設定条件入力画面をタッチパネル２１１上に表示するとともに、機能提供手段４０６が駆動し、複合機が機能提供可能な状態へと移行することとなる（図１２：Ｓ３０４）。
【０１０３】
ユーザは、載置台１０１ｂに原稿を載置し、設定条件入力画面を見ながら、設定条件を入力すると、出力手順項目実行手段４０４が、受付手段４０５に対して、受け付けた設定条件を金員情報管理手段４０１に送信するよう制御する（図１２：Ｓ３０５）。金員情報管理手段４０１は、受信した設定条件に対応する単価から利用金額を算出し、利用金額が投入金額以下の場合は、金員情報管理手段４０１が、受付手段４０５に、コピー実行可能である旨のメッセージを表示させる。一方、利用金額が投入金額を超える場合、金員情報管理手段４０１が、受付手段４０５に、コピー実行不可能である旨のメッセージを表示させる。
【０１０４】
さて、コピー実行可能である旨のメッセージを確認したユーザが、スタートキー２１５を押下すると、機能提供手段４０６が、受け付けた設定条件に従って、原稿の画像データを読み取り、その画像データに基づいて画像形成し、シートを排出する（図１２：Ｓ３０６）。
【０１０５】
上記処理が終了すると、出力手順項目実行手段４０４が、金員情報管理手段４０１に、残金を算出させ、金員情報（単価、投入金額、利用金額、残金）と、設定条件（機能情報、画質設定条件、用紙サイズ設定条件、枚数）とを履歴情報として一時記憶させる（図１２：Ｓ３０７）
次に、出力手順項目実行手段４０４が、受付手段４０５に、領収書を出力するか否かの選択をユーザから受け付ける旨の信号を送信する。すると、受付手段４０５は、図１３Ｆに示すように、領収書出力受付画面をタッチパネル上に表示する。
【０１０６】
領収書出力受付画面には、領収書を発行させるか否かの選択を促すメッセージ「領収書を発行させますか？」１３０１と、領収書が発行されると、履歴情報が消去され残金が返還される旨の説明文１３０２と、領収書を発行させる「はい」ボタン１３０３と、領収書を発行させない「いいえ」ボタン１３０４とが表示される。
【０１０７】
そこで、ユーザは、領収書出力受付画面を見ながら、「はい」ボタン１３０３を押下すると、出力手順項目実行手段４０４が、金員情報管理手段４０１に、出力手順項目テーブルの出力手順項目Ｃ７０４に関連付けられた付与情報を抽出し、領収書を発行する旨の命令を送信する（図１２：Ｓ３０８ＹＥＳ）。金員情報管理手段４０１は、先ほどの履歴情報に基づき、付与情報の算出を行なう。上記算出処理が終了すると、金員情報管理手段４０１は、算出した付与情報と、領収書情報とを出力手段４０７へ送信し、出力手段４０７は、受信した情報に基づいて、領収書を発行する（図１２：Ｓ３０９）。
【０１０８】
なお、ここで発行された領収書は、先ほど機能提供手段４０６が実行した処理（ＪＯＢ）に関連する領収書となるが、領収書出力受付画面の「いいえ」ボタン１３０４が所定回数押下されて、機能提供手段４０６が所定回数処理（ＪＯＢ）を実行した場合は、その処理に関連する履歴情報がそのまま金員情報管理手段４０１に一時記憶された状態となる。その場合、一時記憶された全ての履歴情報から抽出された付与情報がその領収書に印刷されることとなる。
【０１０９】
続いて、金員情報管理手段４０１は、履歴情報を履歴情報蓄積手段４０８の蓄積テーブルに記憶し、一時記憶された当該履歴情報を消去し（図１２：Ｓ３１０）、現時点の残金に対応する金員をつり銭返却口２０３に返却する（図１２：Ｓ３１１）。なお、金員情報管理手段４０１が実行する領収書発行処理と返金処理の順番は、特に上記に限定されるものではない。
【０１１０】
一方、ユーザが、領収書出力受付画面に表示されている「いいえ」ボタン１３０４を押下すると、出力手順項目実行手段４０４が、受付手段４０５に、領収書を出力しない又は継続して機能提供させる旨の選択を受け付けるよう制御する（図１２：Ｓ３０８ＮＯ→Ｓ３１２）。具体的には、受付手段４０５は、図１３Ｇに示すように、項目選択受付画面をタッチパネル２１１上に表示する。
【０１１１】
項目選択受付画面には、項目の選択を促すメッセージ「下記の項目を選択してください。」１３０５と、領収書を出力させない項目「領収書を発行しない」１３０６と、継続して機能提供させる項目「引き続きＪＯＢを実行させる」１３０７と、従前の画面である領収書出力受付画面に切り替え表示させる「戻る」ボタン１３０８とが表示される。なお、上記項目「引き続きＪＯＢを実行させる」１３０７の表示を「引き続きＪＯＢを実行させ、今まで実行したＪＯＢに関連する金員情報を合算する」に変更しても構わない。
【０１１２】
そこで、ユーザは、項目選択受付画面を見ながら、項目「領収書を発行しない」１３０６を押下すると、出力手順項目実行手段４０４が、機能提供を継続しないとみなして（図１２：Ｓ３１２ＮＯ）、金員情報管理手段４０１に、履歴情報を履歴情報蓄積手段４０８の蓄積テーブルに記憶させるとともに当該履歴情報を消去させ（図１２：Ｓ３１１）、現時点の残金に対応する金員をつり銭返却口２０３に返却させることとなる（図１２：Ｓ３１２）。
【０１１３】
一方、ユーザが、領収書出力受付画面に表示されている項目「引き続きＪＯＢを実行させる」１３０７を押下すると、出力手順項目実行手段４０４が、受付手段４０５に設定条件入力画面を表示させる（図１２：Ｓ３１２ＹＥＳ→Ｓ３０４）。なお、設定条件入力画面が再度表示される際に、受付手段４０５は、金員情報管理手段４０１から残金を受信し、設定条件入力画面にその残金を表示する。
【０１１４】
以下、受付手段４０５が、ユーザによる設定条件の入力を受け付けてから（図１２：Ｓ３０４）、領収書出力受付画面をタッチパネル２１１上に表示するまでの処理（図１２：Ｓ３０８）は、上記と同様である。
【０１１５】
このように、複数の出力手順項目のうち、一の出力手順項目の手順は、機能提供終了毎に、領収書を出力するか否かの選択をユーザから受け付け、出力する旨の選択を受け付けた場合は、その選択を受け付けるまでに記憶された全ての履歴情報に基づいて領収書を出力し、出力しない旨の選択を受け付けた場合は、領収書を出力しない又は継続して機能提供させる旨の選択を受け付ける手順であるよう構成している。
【０１１６】
これにより、領収書を出力する場合は、領収書が出力されるまでに記憶された全ての履歴情報に基づいて領収書が出力されるため、総括された領収書を取得することが可能となる。また、領収書を出力しない場合は、領収書そのものを出力しない又は継続して機能提供させる旨の選択を受け付けるため、結果として、ユーザは、領収書を出力しない、または機能提供毎の領収書若しくは総括された領収書を出力することを選択することが可能となる。従って、ユーザの必要に応じて複合機の対応を変更することが可能となる。
【０１１７】
なお、第一の実施形態乃至第三の実施形態では、金員情報管理手段が、コイン投入口に投入されたコインに類する金員を検知するよう構成したが、金員には、例えば、硬貨等のコイン以外にも、有価物であれば、紙幣やクレジットカード、ポイントカード等でも構わない。
【０１１８】
また、第一の実施形態乃至第三の実施形態の出力手順項目記憶手段は、出力手順項目と、その手順のプログラムと、その手順によって出力される領収書の付与情報とを、出力手順項目テーブルとして関連付けて記憶させたが、当該出力手順項目等を関連付けて記憶することができる方法であれば、どのような方法でも採用しても構わない。
【０１１９】
また、第一の実施形態乃至第三の実施形態の出力手順項目受付手段は、出力手順項目テーブルに記憶されている出力手順項目を、出力手順項目が出力手順項目テーブルに記憶されている順番に所定数取得し、その出力手順項目を出力手順項目受付画面に表示するよう構成したが、他の順番で表示するよう構成しても構わない。
【０１２０】
例えば、さらに、出力手順項目が選択された頻度をカウントするカウント手段を設け、出力手順項目受付手段が、そのカウント結果に基づいて、選択頻度が高い順番に所定数の出力手順項目を取得するよう構成しても構わない。上記構成により、ユーザは、出力手順項目を迅速かつ適切に選択することが可能となる。
【０１２１】
また、第一の実施形態乃至第三の実施形態の出力手順項目受付手段は、何人も、出力手順項目の選択を受け付けるよう構成したが、さらに、受付時にパスワード等の識別情報の入力を求める出力手順項目受付許可手段を設け、その出力手順項目受付許可手段が、特定の識別情報を入力したユーザ等にのみ行なわれた出力手順項目の選択を許可するよう構成しても構わない。
【０１２２】
また、第一の実施形態乃至第三の実施形態の出力手順項目受付手段は、何人も、出力手順項目の選択を受け付けるよう構成したが、さらに、受付時にＩＤカードや指紋等の取得によって特定のユーザを認証可能とする認証手段を備え、その認証手段が認証したユーザ等にのみ行なわれた出力手順項目の選択を許可するよう構成しても構わない。
【０１２３】
また、さらに、ユーザにより選択された所定の出力手順項目を登録する登録手段を設け、出力手順項目受付手段が、登録された出力手順項目を含むように所定数の出力手順項目を取得するよう構成しても構わない。上記構成により、画像形成装置の設置環境等に合致した出力手順項目を、一の出力手順項目が選択される前に、予め表示させることが可能となり、出力手順項目の選択を容易かつ迅速にユーザに行なわせることが可能となる。
【０１２４】
また、さらに、出力手順項目受付手段が一の出力手順項目の選択を受け付ける際に、その選択以外の信号の入力を禁止する入力禁止手段を備えるよう構成してもかまわない。上記構成により、領収書の出力手順が決定されていないにも関わらず、ユーザが先に設定条件を入力したり、画像形成装置に機能提供を開始させる信号を入力しても、画像形成装置が機能提供を開始することがないため、領収書の出力を適切に行わせることができるとともに、領収書に付与させる情報の始点が不明になるという事態を防止することが可能となる。なお、ユーザが選択した出力手順項目の手順に従って、受付手段が所定の選択項目を受け付ける際に、上記入力禁止手段を駆動させても構わない。
【０１２５】
また、第一の実施形態乃至第三の実施形態における金員情報管理手段は、所定の処理が終了した際に、その処理に関連する履歴情報を一時記憶し、領収書を出力した後に、その履歴情報を履歴情報蓄積手段の蓄積テーブルに記憶するよう構成したが、他の方法を採用しても構わない。例えば、出力手順項目が選択された際に、出力手順実行手段が、金員情報管理手段に、蓄積テーブルにおける領収書を出力する対象範囲の始点を記憶させ、処理の終了毎に、その履歴情報を蓄積テーブルに記憶させる。領収書を出力する際に、金員情報管理手段が、上記始点を基準として領収書の付与情報を算出するよう構成しても構わない。上記構成とすると、領収書に付与させる情報の始点が不明になることがない。
【０１２６】
また、さらに、ユーザに要求に応じて、出力手順項目に関連付けられた手順に、所定の手順を付加、削除、修正可能とする出力手順変更手段を備えるよう構成しても構わない。所定の手順とは、例えば、機能提供終了毎に、領収書を発行するか否かの選択を受け付ける手順、つり銭払い戻しボタンが押下された際に、領収書を発行するか否かの選択を受け付ける手順、領収書を発行するか否かの選択を受け付けた際に、それまで実行した機能に関連する金員情報等を合算して領収書を出力するのか、実行した機能毎に詳細な領収書を発行するのか否かの選択を受け付ける手順等である。既存に記憶されている手順を削除しても構わない。手順変更の際には、記憶されている手順や付加する手順等が予め認識できるよう表示させる必要があることは言うまでもない。
【０１２７】
また、さらに、ユーザの要求に応じて、出力される領収書の付加情報、デザイン等を変更可能とする領収書変更手段を備えるよう構成しても構わない。
【０１２８】
また、本発明の実施形態では、複合機と課金装置が各手段を備えるよう構成したが、当該各手段を実現するプログラムを記憶媒体に記憶させ、当該記憶媒体を提供するよう構成しても構わない。上記構成では、上記プログラムを、例えば複合機に読み出させ、その複合機が上記各手段を実現する。その場合、上記記録媒体から読み出されたプログラム自体が本発明の作用効果を奏する。さらに、各手段が実行するステップをハードディスクに記憶させる記憶方法として提供することも可能である。
【０１２９】
また、本発明の実施形態では、コピーサービスに関して採用したが、例えば、ファクシミリサービス、スキャナサービス、プリンタサービス、ネットワークスキャンサービス後処理サービス等にも採用することができる。
【産業上の利用可能性】
【０１３０】
以上のように、本発明に係る画像形成装置は、複写機、プリンタ、スキャナ、複合機等に有用であり、ユーザの意図に沿った領収書の出力手順に従って領収書を出力することが可能な画像形成装置として有効である。
【図面の簡単な説明】
【０１３１】
【図１】課金装置が接続された複合機の概略模式図である。
【図２】複合機に係る操作部の全体構成を示す概念図である。
【図３】複合機に係る発明の制御系ハードウェアの構成を示す図である。
【図４】第一の実施形態における複合機の機能ブロック図である。
【図５】第一の実施形態の実行手順を示すためのフローチャートである。
【図６】第一の実施形態に係る出力手順項目テーブルの一例を示す図である。
【図７】第一の実施形態に係るタッチパネル上に表示された画面の一例を示す図である。
【図８】第一の実施形態に係る履歴情報の一例を示す図である。
【図９】第一の実施形態に係るタッチパネル上に表示された画面等の一例を示す図である。
【図１０】第二の実施形態の実行手順を示すためのフローチャートである。
【図１１】第二の実施形態に係るタッチパネル上に表示された画面等の一例を示す図である。
【図１２】第三の実施形態の実行手順を示すためのフローチャートである。
【図１３】第三の実施形態に係るタッチパネル上に表示された画面等の一例を示す図である。
【符号の説明】
【０１３２】
１００  複合機
１０２  操作部
２００  課金装置
２１１  タッチパネル
４０１  金員情報管理手段
４０２  出力手順項目受付手段
４０３  出力手順項目記憶手段
４０４  出力手順項目実行手段
４０５  受付手段
４０６  機能提供手段
４０７  出力手段
４０８  履歴情報蓄積手段
【図１】
2009237731.tif 000003
【図２】
2009237731.tif 000004
【図３】
2009237731.tif 000005
【図４】
2009237731.tif 000006
【図５】
2009237731.tif 000007
【図６】
2009237731.tif 000008
【図７】
2009237731.tif 000009
【図８】
2009237731.tif 000010
【図９】
2009237731.tif 000011
【図１０】
2009237731.tif 000012
【図１１】
2009237731.tif 000013
【図１２】
2009237731.tif 000014
【図１３】
2009237731.tif 000015